【手続補正書】
【提出日】平成18年2月23日(2006.2.23)
【手続補正１】
【補正対象書類名】明細書
【補正対象項目名】発明の名称
【補正方法】変更
【補正の内容】
【発明の名称】ソフトウエア稼働監視装置および方法、ならびにプログラム
【手続補正２】
【補正対象書類名】明細書
【補正対象項目名】特許請求の範囲
【補正方法】変更
【補正の内容】
【特許請求の範囲】
【請求項１】  処理すべきプログラムを、予め定めるプロセスを単位として実行し、実行するプロセスに関する情報をプログラム・インタフェースを介して提供可能なオペレーティング・システム上で実行されるアプリケーション・ソフトウエアの稼働状況を監視する装置であって、
オペレーティング・システムによって実行されるプロセスについての情報を、プログラム・インタフェースを利用して収集し、プロセスの実行状況を監視する監視手段と、
監視手段が収集する情報に含まれるアプリケーション・ソフトウエアについてのプロセスの実行状況を集計して、該アプリケーション・ソフトウエアの稼働実績を生成する生成手段とを含むことを特徴とするソフトウエア稼働監視装置。
【請求項２】  前記監視手段は、予め定める時間間隔で、前記監視を継続的に行い、
前記生成手段は、予め前記時間間隔よりも長く設定される単位時間内で、該時間間隔毎の稼働状況に基づく前記アプリケーション・ソフトウエアの利用率を算出することを特徴とする請求項１記載のソフトウエア稼働監視装置。
【請求項３】  前記生成手段は、前記利用率を予め設定される基準で評価し、利用率が基準を満たすか否かに従って、該アプリケーション・ソフトウエアが該単位時間ですべて稼働か非稼働かを判定することを特徴とする請求項２記載のソフトウエア稼働監視装置。
【請求項４】  ソフトウエアの稼働状況を監視するソフトウエア稼働監視装置において、
前記ソフトウエアについてのプロセスの稼働状況を監視する監視手段と、
予め定められた単位時間内における前記監視手段により監視されるプロセスの稼働状況に基づき、前記単位時間について前記ソフトウエアが稼働状態にあるか非稼働状態にあるかを判断する判断手段とを備えたことを特徴とするソフトウエア稼働監視装置。
【請求項５】  請求項１〜４のいずれかに記載のソフトウエア稼働監視装置として、コンピュータを作動させるためのプログラム。
【請求項６】  処理すべきプログラムを、予め定めるプロセスを単位として実行し、実行するプロセスに関する情報をプログラム・インタフェースを介して提供可能なオペレーティング・システム上で実行されるアプリケーション・ソフトウエアの稼働状況を監視する方法であって、
オペレーティング・システムによって実行されるプロセスについての情報を、プログラム・インタフェースを利用して収集し、プロセスの実行状況を監視する監視ステップと、
監視ステップで収集する情報に含まれるアプリケーション・ソフトウエアについてのプロセスの実行状況を集計して、該アプリケーション・ソフトウエアの稼働実績を生成する集計ステップとを含むことを特徴とするソフトウエア稼働監視方法。
【請求項７】  ソフトウエアの稼働状況を監視するソフトウエア稼働監視方法において、
予め監視のための単位時間を定めておき、
前記単位時間内における前記ソフトウエアについてのプロセスの稼働状況に基づき、前記単位時間について前記ソフトウエアが稼働状態にあるか非稼働状態にあるかを判断することを特徴とするソフトウエア稼働監視方法。
【手続補正３】
【補正対象書類名】明細書
【補正対象項目名】０００１
【補正方法】変更
【補正の内容】
【０００１】
【発明の属する技術分野】
本発明は、コンピュータのオペレーティング・システム上で実行されるアプリケーション・ソフトウエアの稼働状況を監視するソフトウエア稼働監視装置および方法、ならびにプログラムに関する。
【手続補正４】
【補正対象書類名】明細書
【補正対象項目名】００１３
【補正方法】変更
【補正の内容】
【００１３】
本発明の目的は、アプリケーション・ソフトウエア自体や、コンピュータ装置側に稼働実績を取得する機能を備える必要がなく、アプリケーション・ソフトウエアの稼働実績を容易に取得することができるソフトウエア稼働監視装置および方法、ならびにプログラムを提供することである。
【手続補正５】
【補正対象書類名】明細書
【補正対象項目名】００１６
【補正方法】変更
【補正の内容】
【００１６】
また本発明で、前記監視手段は、予め定める時間間隔で、前記監視を継続的に行い、
前記生成手段は、予め前記時間間隔よりも長く設定される単位時間内で、該時間間隔毎の稼働状況に基づく前記アプリケーション・ソフトウエアの利用率を算出することを特徴とする。
【手続補正６】
【補正対象書類名】明細書
【補正対象項目名】００１７
【補正方法】変更
【補正の内容】
【００１７】
本発明に従えば、アプリケーション・ソフトウエアの実行状況の監視は、予め定める時間間隔で継続的に行われるので、アプリケーション・ソフトウエアの稼働実績の時間的な変化を、容易に取得することができる。またアプリケーション・ソフトウエアの実行状況を監視する時間間隔よりも長く設定される単位時間内で、その時間間隔毎の稼働状況に基づくアプリケーション・ソフトウエアの利用率を算出するので、単位時間毎のアプリケーション・ソフトウエアの稼働実績を、利用率で知ることができる。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２１
【補正方法】変更
【補正の内容】
【００２１】
本発明に従えば、単位時間毎に、アプリケーション・ソフトウエアが稼働か非稼働かを、利用率を予め設定される基準で評価して判定するので、アプリケーション・ソフトウエアの稼働実績を、単位時間毎の稼働か非稼働かの判定結果から容易に知ることができる。
さらに本発明は、ソフトウエアの稼働状況を監視するソフトウエア稼働監視装置において、
前記ソフトウエアについてのプロセスの稼働状況を監視する監視手段と、
予め定められた単位時間内における前記監視手段により監視されるプロセスの稼働状況に基づき、前記単位時間について前記ソフトウエアが稼働状態にあるか非稼働状態にあるかを判断する判断手段とを備えたことを特徴とするソフトウエア稼働監視装置である。
本発明に従えば、ソフトウエア稼働監視装置は、監視手段と判断手段とを備える。監視手段は、ソフトウエアについてのプロセスの稼働状況を監視する。判断手段は、予め定められた単位時間内で監視手段によって監視されるプロセスの稼働状況に基づき、単位時間についてソフトウエアが稼働状態にあるか非稼働状態にあるかを判断する。監視対象となるソフトウエアに稼働実績を取得する機能が備えられていなくても、単位時間内での稼働実績を容易に取得することができる。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００７６
【補正方法】変更
【補正の内容】
【００７６】
また本発明によれば、アプリケーション・ソフトウエアの稼働実績の時間的な変化を、容易に取得することができ、単位時間毎のアプリケーション・ソフトウエアの稼働実績を、利用率で知ることができる。
【手続補正１７】
【補正対象書類名】明細書
【補正対象項目名】００７７
【補正方法】削除
【補正の内容】
【手続補正１８】
【補正対象書類名】明細書
【補正対象項目名】００７９
【補正方法】削除
【補正の内容】
【手続補正１９】
【補正対象書類名】明細書
【補正対象項目名】００８０
【補正方法】変更
【補正の内容】
【００８０】
さらに本発明によれば、アプリケーション・ソフトウエア自体や、オペレーティング・システムやコンピュータ装置のハードウエア側に稼働実績を取得する機能を備えていなくても、アプリケーション・ソフトウエアの稼働実績を容易に取得することができる。
さらに本発明によれば、予め定められた単位時間内で監視手段によって監視されるプロセスの稼働状況に基づき、判断手段は、単位時間についてソフトウエアが稼働状態にあるか非稼働状態にあるかを判断するので、ソフトウエアに稼働実績を取得する機能が備えられていなくても、単位時間内での稼働実績を容易に取得することができる。
【手続補正２０】
【補正対象書類名】明細書
【補正対象項目名】００８１
【補正方法】削除
【補正の内容】
【手続補正２１】
【補正対象書類名】明細書
【補正対象項目名】００８３
【補正方法】削除
【補正の内容】